(57)【要約】      （修正有）【課題】釘打ち込みを補助する金属道具を提供する。【解決手段】一本のストレートロッド１を含み、ストレートロッド１の最前方に近い場所に一つの矩形貫通孔１０１があり、ストレートロッド１の前面に矩形貫通孔１０１と繋ぐ第一貫通孔があり、第一貫通孔の内部にロッキングレバー２が設置され、ロッキングレバー２の片方は貫通孔１０１の内部に延伸され、反対側はストレートロッド１の外部まで延伸され、更にストレートロッド１の外部まで延伸された側に一つの蓋３とネジ連結され、貫通孔１０１の内部まで延伸された側にブロック２０１と繋ぎ、ロッキングレバー２の上にスナップ爪と連携するスナップ穴があり、貫通孔１０１の側壁にスナップ穴と連携するスナップ溝１１１があり、蓋３とストレートロッド１の間は一つのリターンスプリング４と当たる。釘を打ち込む際の垂直性を保証でき、同時に手に当たることを防げる。【選択図】図１
0003191665.tif 000002
【実用新案登録請求の範囲】
【請求項１】
釘打ち込みを補助する金属道具であり、その特徴は：一本のストレートロッドを含み、前述したストレートロッドの最前方に近い場所に一つの矩形貫通孔があり、ストレートロッドの前面に前述した矩形貫通孔と繋ぐ第一貫通孔があり、前述した第一貫通孔の内部にロッキングレバーが設置され、ロッキングレバーの片方は貫通孔の内部に延伸され、反対側はストレートロッドの外部まで延伸され、更にストレートロッドの外部まで延伸された側に一つの蓋とネジ連結され、貫通孔の内部まで延伸された側にブロックと繋ぎ、前述したロッキングレバーの上にスナップ爪と連携するスナップ穴があり、前述した貫通孔の側壁に前述したスナップ穴と連携するスナップ溝があり、前述した蓋とストレートロッドの間は一つのリターンスプリングと当たり、前述したストレートロッドの上に釘をセットする溝があり、溝の両側にシュートがあり、両側のシュートの間に、前述した溝を閉鎖するスライド蓋があり、前述したスライド蓋の最上部に一つの力を加えるブロックが設置されることを特徴とする釘打ち込みを補助する金属道具。
【請求項２】
請求項１に記載の釘打ち込みを補助する金属道具において、その特徴は：前述したストレートロッドの後部にシャックルがあることを特徴とする釘打ち込みを補助する金属道具。
【請求項３】
請求項１に記載の釘打ち込みを補助する金属道具において、その特徴は：前述したスナップ穴の両端は円弧状であることを特徴とする釘打ち込みを補助する金属道具。
【請求項４】
請求項１に記載の釘打ち込みを補助する金属道具において、その特徴は：前述したスナップ溝は半円形であることを特徴とする釘打ち込みを補助する金属道具。
【考案の詳細な説明】
【技術分野】
【０００１】
本実用新案はある種の釘打ち込みを補助する金属道具に関わる。
【背景技術】
【０００２】
日常生活にて、多くのものは釘を用いて取り付けられる。釘を打ち込み、ミスした場合、ハンマーが手に当たってしまい、大きな怪我に繋がる。また、壁に釘を打ち込む際、通常、釘が壁と垂直することを保証できなく、釘の歪みになる。よって、ある種の釘打ち込みを補助する金属道具が必要である。
【考案の概要】
【考案が解決しようとする課題】
【０００３】
本実用新案の解決したい技術課題とはある種の釘打ち込みを補助する金属道具を提供することである。本装置は釘打ち込みの垂直性を保証でき、同時にハンマーが手に当たることを防げる。
【課題を解決するための手段】
【０００４】
上述した課題を解決する為、本実用新案は以下の技術案を採用する：
ある種の釘打ち込みを補助する金属道具であり、一本のストレートロッドを含み、前述したストレートロッドの最前方に近い場所に一つの矩形貫通孔があり、ストレートロッドの前面に前述した矩形貫通孔と繋ぐ第一貫通孔があり、前述した第一貫通孔の内部にロッキングレバーが設置され、ロッキングレバーの片方は貫通孔の内部に延伸され、反対側はストレートロッドの外部まで延伸され、更にストレートロッドの外部まで延伸された側に一つの蓋とネジ連結され、貫通孔の内部まで延伸された側にブロックと繋ぎ、前述したロッキングレバーの上にスナップ爪と連携するスナップ穴があり、前述した貫通孔の側壁に前述したスナップ穴と連携するスナップ溝があり、前述した蓋とストレートロッドの間は一つのリターンスプリングと当たる。前述したストレートロッドの上に釘をセットする溝があり、溝の両側にシュートがあり、両側のシュートの間に、前述した溝を閉鎖するスライド蓋があり、前述したスライド蓋の最上部に一つの力を加えるブロックが設置される。
【０００５】
最適な技術案として、前述したストレートロッドの後部にシャックルがある。
【０００６】
最適な技術案として、前述したスナップ穴の両端は円弧状である。
【０００７】
最適な技術案として、前述したスナップ溝は半円形である。
【考案の効果】
【０００８】
本実用新案の有益な効果は：使用する際、蓋をしっかり押し付け、スナップ穴を完全に貫通孔に露出させ、そして、釘をスナップ穴に入れ、蓋を外し、リターンスプリングの作用を通して、釘をスナップ穴とスナップ溝に挟んで、固定する。そしてハンマーの打撃によって、釘をより効果的に打ち込め、ハンマーが手に当たることを避け、手の怪我を防げる。本装置の構造は簡単で、実用性が高く、普及して利用することに適応する。
【図面の簡単な説明】
【０００９】
【図１】本実用新案の内部構造図である。
【図２】本実用新案の上面図である。
【図３】本実用新案の側面図である。
【考案を実施するための形態】
【００１０】
以下は添付した図に従って、本実用新案の最適な技術実例を詳しく説明し、本実用新案の長所と特徴を本技術分野の技術者によく簡単に理解させ、よって、本実用新案の保護範囲をより明白に定める。
【００１１】
図1、図２と図３に示された釘打ち込みを補助する金属道具を参照して、一本のストレートロッド１を含み、前述したストレートロッド１の最前方に近い場所に一つの矩形貫通孔101があり、ストレートロッド１の前面に前述した矩形貫通孔101と繋ぐ第一貫通孔（図に示されなかった）があり、前述した第一貫通孔の内部にロッキングレバー２が設置され、ロッキングレバー２の片方は貫通孔101の内部に延伸され、反対側はストレートロッド１の外部まで延伸され、更にストレートロッド１の外部まで延伸された側に一つの蓋３とネジ連結され、貫通孔101の内部まで延伸された側にブロック201と繋ぎ、前述したロッキングレバー２の上にスナップ爪と連携するスナップ穴202があり、前述した貫通孔101の側壁に前述したスナップ穴202と連携するスナップ溝111があり、前述した蓋３とストレートロッド１の間は一つのリターンスプリング４と当たる。前述したストレートロッド１の上に釘をセットする溝102があり、溝102の両側にシュート112があり、両側のシュート112の間に、前述した溝102を閉鎖するスライド蓋５があり、前述したスライド蓋５の最上部に一つの力を加えるブロック501が設置される。
【００１２】
本実用新案の最適な技術案として、前述したストレートロッド１の後部にシャックル103がある。
【００１３】
本実用新案の最適な技術案として、前述したスナップ穴202の両端は円弧状である。
【００１４】
本実用新案の最適な技術案として、前述したスナップ溝111は半円形である。
【００１５】
本実用新案の有益な効果は：使用する際、蓋をしっかり押し付け、スナップ穴を完全に貫通孔に露出させ、そして、釘をスナップ穴に入れ、蓋を外し、リターンスプリングの作用を通して、釘をスナップ穴とスナップ溝に挟んで、固定する。そしてハンマーの打撃によって、釘をより効果的に打ち込め、ハンマーが手に当たることを避け、手の怪我を防げる。本装置の構造は簡単で、実用性が高く、普及して利用することに適応する。
【００１６】
以上は本実用新案の基本原理、主要特徴と本実用新案の長所を示した。本分野の技術者は、本実用新案が上述した実施例に制限されなく、上述した実施例と説明書に述べたものは、単なる本実用新案の原理を説明だけで、本実用新案の精神と範囲を抜けない前提で、本実用新案はまだ様々な変化と改善が現れるはずで、これらの変化と改善は全て保護される本実用新案の範囲に含まれることを理解すべき。本実用新案の要求された保護範囲は添付した権利要求書及び同等物によって定義される。
【符号の説明】
【００１７】
１  ストレートロッド
２  ロッキングレバー
３  蓋
４  リターンスプリング
５  スライド蓋
101  矩形貫通孔
102  溝
112  シュート
201  ブロック
202  スナップ穴
111  スナップ溝
501  ブロック
【図１】
0003191665.tif 000003
【図２】
0003191665.tif 000004
【図３】
0003191665.tif 000005